(57)【特許請求の範囲】
【請求項１】
音声を出力するスピーカを備える遊技機において、
屈曲した音声の出力経路を形成させつつ、前記スピーカ正面側を覆う保護部材を備え、
前記保護部材は、複数の部材で形成され、
前記複数の部材は、前記スピーカを側面から見た側面視において、前記スピーカ正面側に間隔をあけて配置されるとともに、前記スピーカを正面から見た正面視において、重なる領域が形成されるように配置されることを特徴とする遊技機。
【請求項２】
音声を出力するスピーカを備える遊技機において、
屈曲した音声の出力経路を形成させつつ、前記スピーカ正面側を覆う保護部材を備え、
前記保護部材を複数の部材で形成する場合において、前記複数の部材を前記スピーカ正面側に固定する固定部を備え、
前記固定部は、
近接する前記複数の部材同士の、前記スピーカ正面で重なる端部近傍を固定することを特徴とする遊技機。
【請求項３】
前記スピーカを遊技媒体が貯留される貯留皿の後面側に内蔵させ、
前記複数の部材のうち、遊技者に面する部材を、前記出力経路の終端開口部が上方に形成されるように配置した請求項１又は２記載の遊技機。
【請求項４】
前記終端開口部を、前記貯留皿に貯留される遊技媒体の最大貯留高さよりも高い位置に形成した請求項３記載の遊技機。
【請求項５】
前記複数の部材のうち、前記スピーカに面する部材は、前記スピーカから所定の間隔をあけて配置されるとともに、前記スピーカ正面を半分以上覆う請求項１〜４のいずれか一項に記載の遊技機。
【発明の詳細な説明】
【技術分野】
【０００１】
本発明は、音声を出力するスピーカを備える遊技機に関し、特に、針金などの長物の挿入によるスピーカの破壊を防止する遊技機に関する。
【背景技術】
【０００２】
遊技場には、パチンコ機やスロットマシンなどの遊技機が設置されている。
遊技機から払出された遊技媒体は、現金などの有価価値を有する景品と交換することができるため、遊技機に不正を働いて、遊技機から遊技媒体を窃取する不正行為が後を絶たない。
【０００３】
そこで、遊技機には、このような不正行為に曝されたときに、外部に警告音を出力するスピーカが備わっている。
警告音には、遊技機の扉が開放されたときに出力される扉開放音、遊技媒体を払出す払出装置が強制操作されたときに出力される払出エラー音、また、スロットマシンにおいては、大当りの設定確率を変更中に出力される設定変更音などがあり、スピーカは、遊技機が異常状態にあることを外部に知らしめ、不正行為の発生を抑止する装置として機能している。
【０００４】
不正行為者が遊技機に不正を働くときには、通常なるべく周囲に目立たないように行う。この際にスピーカは不都合な存在であることから、不正行為者は、まず、スピーカを破壊しようとする。
そのため、近年では、遊技機外部から針金・セル板などの長物（以下、不正具という）を機内に侵入させてスピーカの振動板（コーン紙）を突き破る行為が多発している。
【０００５】
このような不正具によるスピーカの破壊を防止する構造を備えた遊技機が提案されている。
例えば、特許文献１に示される遊技機では、スピーカグリル部とスピーカの振動板との間に、不正具の侵入を阻止するファン、ワイパなどの移動部材を配置している。
また、特許文献２に示される遊技機では、スピーカグリル部とスピーカの振動板との間に、不正具の侵入を阻止する多孔部材（振動体カバー）を配置するとともに、スピーカグリル部の孔方向と多孔部材の孔方向を相違させている。
【先行技術文献】
【特許文献】
【０００６】
【特許文献１】特開２００９−５０４７０号公報
【特許文献２】特開２００５−７４１２１号公報
【発明の概要】
【発明が解決しようとする課題】
【０００７】
しかしながら、特許文献１に示される遊技機では、スピーカグリル部の音出力孔から不正具を挿入した場合、移動部材が不正具の侵入を阻止するものの、これに当たって移動部材が停止・破壊される可能性があるので、対策として不完全なものであった。
また、特許文献２に示される遊技機では、たとえ孔方向が相違していても、あらかじめ曲げた針金等をスピーカグリル部の音出力孔から挿入すると、多孔部材の音出力孔も通過する可能性があるので、不正具によるスピーカの破壊を防止する構造としては不十分であった。
【０００８】
本発明は、このような問題を解決するために提案されたものであり、スピーカの破壊等を防止することができる遊技機の提供を目的とする。
【課題を解決するための手段】
【０００９】
上記目的を達成するため、本発明の遊技機は音声を出力するスピーカを備える遊技機において、孔を有しない板状部材であって、屈曲した音声の出力経路を形成させつつ、前記スピーカ正面側を直視不能に覆う保護板を備える構成としてある。
【発明の効果】
【００１０】
本発明の遊技機によれば、スピーカの破壊等を防止することができる。
【図面の簡単な説明】
【００１１】
【図１】本発明の一実施形態に係るスロットマシンの外観を示す概略斜視図である。
【図２】本発明の一実施形態に係るスロットマシンの内部構成を示す概略斜視図である。
【図３】本発明の一実施形態に係るスロットマシンのスピーカ取付部を示す分解斜視図である。
【図４】本発明の一実施形態に係るスロットマシンのスピーカ取付部を示す内部正面図である。
【図５】本発明の一実施形態に係るスロットマシンのスピーカ取付部を示す側断面図（Ａ−Ａ断面図）である。
【図６】本発明の一実施形態に係るスロットマシンのスピーカ取付部を示す側断面図（Ｂ−Ｂ断面図）である。
【図７】本発明の一実施形態に係るスロットマシンのスピーカ取付部の変形例を示す内部正面図である。
【発明を実施するための形態】
【００１２】
以下、本発明に係る遊技機の好ましい実施形態について、各図を参照して説明する。
遊技機には、パチンコ機、スロットマシン、アレンジボール、雀球など様々な機類があるが、本実施形態では、メダルを遊技媒体とするスロットマシンに本発明を適用した場合について、図面を参照しつつ説明する。
【００１３】
［スロットマシン本体］
図１は、本発明の一実施形態に係るスロットマシンの外観を示す概略斜視図、図２は、本発明の一実施形態に係るスロットマシンの内部構成を示す概略斜視図である。
【００１４】
これらの図に示すように、本実施形態のスロットマシン１は、複数のリール４１ａ，４１ｂ，４１ｃを回転させることによって遊技媒体であるメダルを獲得することができる回胴式遊技機を構成している。
【００１５】
スロットマシン１は、内部がマイクロコンピュータ等で構成された制御部１０、制御部１０からの指令により、スピーカ９とＬＥＤ等のランプを制御する演出制御部２０、及び必要な機械、装置等を収納する正面側が開口した筐体１ｂと、筐体１ｂの正面側を開閉可能に覆う前扉１ａとで構成されている。
【００１６】
前扉１ａは、図２に示すように、スロットマシン１の筐体１ｂにヒンジ等を介して開閉可能に取り付けられる扉体で、この前扉１ａに遊技操作に係る複数の操作手段が設けられて、スロットマシン１の正面部を構成している。
【００１７】
操作手段としては、メダルが投入されるメダル投入口２と、各リール４１ａ，４１ｂ，４１ｃの回転を始動させるスタートレバー３と、回転している各リール４１ａ，４１ｂ，４１ｃを停止させる３つの停止ボタン５ａ，５ｂ，５ｃなどが設けられている。
さらに、前扉１ａには、各リール４１ａ，４１ｂ，４１ｃに表示された図柄を視認可能とする表示窓６が、各操作手段の上側に設けられている。また、前扉１ａ下部には、メダルを払い出すメダル払出口８、払い出されたメダルを貯留する貯留皿８１、効果音や警告音を出力するスピーカ９などが設けられている。
【００１８】
筐体１ｂの中央には、リール４１ａ，４１ｂ，４１ｃと、各リール４１ａ，４１ｂ，４１ｃを回転させる図示しないモータ及び回転位置を検出するセンサ等を備えるドラムユニット４が設けられる。
また、筐体１ｂの下部には、メダルの貯留・払出しを行うメダル払出装置７が設けられる。メダル払出装置７には、メダルを貯留するホッパー７ａが設けられ、メダル投入口２より投入されたメダルは、メダルセレクタ２ａにより検出されるとともに、ホッパー７ａに誘導されるようになっている。
【００１９】
スロットマシン１では、上記の各操作手段からの信号やメダルセレクタ２ａからの信号に基づき、制御部１０が、ドラムユニット４、メダル払出装置７などの各装置を制御することで、以下のようなスロットマシン遊技が進行する。
【００２０】
具体的には、遊技者によりメダル投入口２からメダルが投入されると、メダルがメダルセレクタ２ａにより検出され、検出信号が制御部１０に入力される。制御部１０は、この検出信号の入力数からゲーム可能なメダル数を監視するとともに、スタートレバー３の操作を監視する。
ゲーム可能なメダル数となったときに、スタートレバー３が操作されると、制御部１０は、ドラムユニット４を駆動して、各リール４１ａ，４１ｂ，４１ｃを回転させる制御を行う。
【００２１】
さらに、制御部１０は、スタートレバー３が操作されたときに、ボーナスや小役等を抽せんする内部抽せんを行い、各停止ボタン５ａ，５ｂ，５ｃが押下操作されたタイミングに基づき、抽せん結果に応じた図柄の組合せで停止するよう、回転している各リール４１ａ，４１ｂ，４１ｃの停止制御を行う。
【００２２】
また、制御部１０は、各リール４１ａ，４１ｂ，４１ｃに停止表示される図柄の組合せを判定し、所定の図柄の組合せのときには、メダル払出装置７に対して所定数のメダルを払い出す制御を行い、メダルがメダル払出口８から払い出される。
【００２３】
また、スロットマシン１では、上述したようなスロットマシン遊技において、制御部１０が遊技状態に応じた所定の制御信号を演出制御部２０に出力することで、演出制御部２０が、この制御信号に従い、予め記憶した演出プログラムに基づきスピーカ９及びＬＥＤ等のランプを駆動して、所定の演出を行う。
【００２４】
そして、このように構成されたスロットマシン１に対して、下記のスピーカグリル９５に形成された多数の音出力孔９６から不正具が挿入された場合には、本発明に係るスピーカ取付部構造がスピーカ９の破壊行為を防止し、機内への不正アクセスを阻止するようになっている。
以下、本実施形態のスピーカ取付部構造について、各図を参照して詳述する。
【００２５】
［スピーカ取付部］
図３は、本発明の一実施形態に係るスロットマシンのスピーカ取付部を示す分解斜視図、図４は、本発明の一実施形態に係るスロットマシンのスピーカ取付部を示す内部正面図、図５は、本発明の一実施形態に係るスロットマシンのスピーカ取付部を示す側断面図（図４中のＡ−Ａ断面図）、図６は、本発明の一実施形態に係るスロットマシンのスピーカ取付部を示す側断面図（図４中のＢ−Ｂ断面図）である。
【００２６】
これらの図に示すように、本実施形態のスロットマシン１は、前扉１ａの下部に左右一組のスピーカ９を備えている。各スピーカ９の取付構造は、同一であるため、左右を区別することなく説明する。
【００２７】
前扉１ａの下部には、音出力口となる開口９１が形成されており、該開口９１の後側にスピーカ９が取付けられる。本実施形態のスピーカ９は、円錐形のコーン紙からなる振動板９２を備えており、その後方がカバー９３で支持される状態で、前扉１ａの後面側に複数のねじ９４を用いて固定される。
【００２８】
前記開口９１の前方は、スピーカグリル９５で覆われるようになっている。スピーカグリル９５は、前扉１ａの下部前面側に重ね合わせ状に設けられるパネル部材であり、開口９１を覆う円形領域には、多数の音出力孔９６が形成されている。
【００２９】
このようなスピーカ取付構造を採用するスロットマシン１では、不正行為に先立ち、スピーカグリル９５の音出力孔９６から針金などの不正具を挿入し、スピーカ９の振動板９２が破壊されることがあった。
【００３０】
このようなスピーカ９の破壊行為を防止するために、本発明の実施形態に係るスロットマシン１は、スピーカ取付部に保護板９７を備えている。この保護板９７は、孔を有していないものの、屈曲した音声の出力経路Ｓを形成させつつ、スピーカ９の正面側を直視不能に覆う機能を有しており、スピーカ９の正面に向かって直進する不正具の侵入を阻止するようになっている。
【００３１】
具体的に説明すると、本実施形態の保護板９７は、スピーカ９の正面側に上下方向にずらして交互に重ねて形成された２枚の板状部材９７ａ、９７ｂを備えて構成されている。
２枚の板状部材９７ａ、９７ｂは、スピーカグリル９５に形成したような多数の音出力孔９６を有することなく、面一の板状部材で形成されている。
【００３２】
一方の板状部材９７ａは、前扉１ａの一部を利用しており、本来は円形である開口９１の上半分を覆う扇状に形成されている。
詳細には、板状部材９７ａは、図４及び図５に示すように、スピーカ９から間隔Ｄ１（例えば、３ｍｍ）をあけてスピーカ９に面する位置に配置され、スピーカ９の開口９１を上半分以上覆うように形成されている。
このように配置することで、スピーカ９を側面から見た側面視においては、間隔Ｄ１の出力経路が確保され、スピーカ９を正面から見た正面視においては、下半分に角度α（例えば、１５０度）の開口９１が確保される。すなわち、スピーカ９の開口９１を塞ぐことなく、音声の出力経路を確保しつつ、スピーカ９の正面に向かって直進する不正具の侵入領域を極力狭めることができる。
また、板状部材９７ａには、ねじ９９を用いて板状部材９７ｂを固定するねじ固定部９７ａ−１が形成されている。このねじ固定部９７ａ−１は、板状部材９７ａのスピーカ９正面を横切る部分である下端部近傍に形成されている。
【００３３】
他方の板状部材９７ｂは、扇状の鋼板からなり、開口９１の下半分を覆うように形成されている。
詳細には、板状部材９７ｂは、図４及び図５に示すように、遊技者側に面する位置に、間隔Ｄ２（例えば、５ｍｍ）をあけて板状部材９７ａと並列され、板状部材９７ａで覆われない領域を補完するように、開口９１の下半分を覆う。
【００３４】
この板状部材９７ｂは、複数箇所で固定され、具体的には、開口９１の前方に立設される突片９８と、上記のねじ固定部９７ａ−１を介して、板状部材９７ａとにねじ９９を用いて固定される。
そのため、板状部材９７ｂには、スピーカ９の中心からずれた位置に、板状部材９７ａに固定するためのねじ穴９７ｂ−１と、突片９８に固定するためのねじ穴９７ｂ−２と、突片９８に固定する際の位置決め用の二つの孔９７ｂ−３が形成されている。
板状部材９７ｂは、ねじ穴９７ｂ−１を介してねじ固定部９７ａ−１に固定され、ねじ穴９７ｂ−２を介して突片９８に形成されたねじ固定部９８ａに固定される。また、板状部材９７ｂは、孔９７ｂ−３を介して突片９８に形成された凸部９８ｂと嵌合し、突片９８に対して位置決めされる。
なお、ねじ穴９７ｂ−１は、板状部材９７ｂのスピーカ９正面を横切る部分である上端部近傍に形成されている。
【００３５】
このように構成された保護板９７は、図５に示すように、スピーカ９を側面から見た側面視において、一方の板状部材９７ａがスピーカ９から間隔Ｄ１（例えば、３ｍｍ）をあけてスピーカ９の正面上側を覆うとともに、他方の板状部材９７ｂが板状部材９７ａから間隔Ｄ２（例えば、５ｍｍ）をあけてスピーカ９の正面下側を覆うので、屈曲した音声の出力経路Ｓを形成させつつ、スピーカ９の正面側を直視不能に覆い、スピーカ９の正面に向かって直進する不正具の侵入を阻止することができる。
【００３６】
さらに、図４に示すように、保護板９７は、スピーカ９を正面から見た正面視において、一方の板状部材９７ａの下端部と他方の板状部材９７ｂの上端部を互いに行き違わせ、合い重なる領域（図中斜線領域）となる重合部Ｗを形成してある。
この重合部Ｗは、所定幅（例えば、２０ｍｍ）でスピーカ９正面をほぼ横断するように形成されている。これにより、出力経路Ｓにおいて曲率の小さいＵ字状の経路（折り返し）がスピーカ９正面に亘って形成されるため、不正具の侵入経路が迷路状になる。
【００３７】
すなわち、重合部Ｗを形成することで、出力経路Ｓにおいて少なくとも一のＵ字状の経路（折り返し）が形成され、このようなＵ字状の経路を含む出力経路Ｓは、スピーカグリル９５の正面側からスピーカ９の正面に至る不正具の侵入経路を迷路状に構成するので、不正具の侵入をより困難にし、不正具によるスピーカ９の破壊を確実に防止することが可能になる。また、重合部Ｗは、スピーカ９正面をほぼ横断するように形成されていることから、正面視におけるあらゆる部分でＵ字状の経路が形成されることになる。
【００３８】
また、本実施形態のように、スピーカ９を貯留皿８１の後面側に内蔵する場合は、保護板９７は、図５に示すように、出力経路Ｓの終端部開口Ｋが上方を向むように構成してある。
これは、遊技者側に面する位置に配置する板状部材９７ｂを、開口９１の下半分を覆うように形成することで、出力経路Ｓの終端部開口Ｋが上方を向くことになる。
スロットマシンのみならずパチンコ機においても、貯留皿８１は一般的に遊技機の最下部に設置されていることから、出力経路Ｓの終端部開口Ｋを上方に向けることで、後面側に内蔵されたスピーカ９からの音出力を遊技者の耳に届けることができる。
【００３９】
さらに、終端部開口Ｋを、貯留皿８１においてメダルが最も多く貯留されたときのメダルの最大貯留高さＬ（例えば、貯留皿前端部高さ）よりも上方に位置するように形成してある。
このようにすると、貯留皿８１に多くのメダルが溜まっている状況でも、終端部開口Ｋがメダルによって塞がれることを防止し、スピーカ９の発生音を遊技者に向けて確実に出力することができる。
【００４０】
また、図６に示すように、板状部材９７ｂは、突片９８と板状部材９７ａに固定されている。
すなわち、板状部材９７ｂは、ねじ穴９７ｂ−１を介してねじ固定部９７ａ−１に固定され、ねじ穴９７ｂ−２を介して突片９８に形成されたねじ固定部９８ａに固定されている。このように板状部材９７ｂを複数の固定部において固定することにより、スピーカ９の音圧により発生する板状部材９７ｂの振動によるビリつきを防ぐことができる。
【００４１】
特に、スピーカ９正面を横切る部分である板状部材９７ｂの上端部側は、この部分が板状部材９７ｂを片持ち梁とみなしたときの自由端側となることから（突片９８側が支持側）、上端部側がスピーカ９の音圧を受けて音叉のように振動する。そこで、上端部近傍（ねじ穴９７ｂ−１）を固定することで、この部分の振動を抑えることができる。
また、一方の板状部材９７ａにとっても、同様にこの部分（下端部近傍）は、自由端側となることから、ねじ固定部９７ａ−１を介して板状部材９７ｂと固定されることで、この部分の振動を抑えることができる。つまり、板状部材９７ａ，９７ｂにおいてスピーカ９正面を横切る端部同士（重合部Ｗ）を固定することで、端部側が自由端となって振動することが抑えられ、保護板９７の振動によるビリつきを防ぐことができる。
【００４２】
以上のように構成された本実施形態によれば、音声を出力するスピーカ９を備えるスロットマシン１において、孔を有しない板状部材であって、屈曲した音声の出力経路Ｓを形成させつつ、スピーカ９の正面側を直視不能に覆う保護板９７を備え、この保護板９７が、スピーカ９の正面に向かって直進する不正具の侵入を阻止することにより、不正具によるスピーカ９の破壊を防止することができる。
【００４３】
また、本実施形態の保護板９７は、スピーカ９の正面側に交互に重ねて形成された複数の板状部材９７ａ、９７ｂからなるので、複数の板状部材９７ａ、９７ｂを追加する程度の簡単な構成変更により、安価に実施することができる。
しかも、本実施形態の一方の板状部材９７ａは、前扉１ａの一部を利用して形成されるので、部品点数を削減し、より安価に実施することができる。
【００４４】
以上、本発明の遊技機について、好ましい実施形態を示して説明したが、本発明に係る遊技機は、上述した実施形態にのみ限定されるものではなく、本発明の範囲で種々の変更実施が可能であることはいうまでもない。
例えば、本実施形態では、所定の間隔をあけて交互に（互い違いに）重なり合う板状部材の枚数を２枚とし、これら２枚の板状部材によってＵ字状に屈曲した出力経路を形成しているが、板状部材の枚数を３枚以上とし、より複雑な不正具の出力経路（不正具の侵入経路）を形成するようにしてもよい。また、この場合には、重合部Ｗの幅をそれぞれ違えるように重ね合わせることもできる。
【００４５】
また、本実施形態では、２枚の板状部材を、上下方向にずらして重ね合わせることで、重合部Ｗがスピーカ９正面を横断するように形成したが、左右方向にずらして重ね合わせることで、重合部Ｗがスピーカ９正面を縦断するように形成することもできる。また、複数の板状部材を重ね合わせることで、横断と縦断さらに任意の方向に横切る重合部Ｗを複数形成し、より複雑な不正具の侵入経路を形成することもできる。
【００４６】
また、本実施形態では、スピーカ９に面する板状部材９７ａがスピーカ９の開口９１を半分以上覆うように形成したが、図７の（ａ）に示すように、開口９１の半分（角度α＝約１８０度）が確保されるように覆うこともできる。また、図７の（ｂ）に示すように、開口９１の半分以上（例えば、角度α＝約２１０度）が確保されるように覆うこともできる。これにより、スピーカ９からの音声出力範囲を最大限に確保しつつ、スピーカ９の正面側を直視不能に覆い、スピーカ９の正面に向かって直進する不正具の侵入を阻止することができる。
【００４７】
また、本実施形態では、保護板を複数の板状部材で構成したが、一枚の板状部材で構成することもできる。この場合には、一枚の板状部材をスピーカ９の正面方向に沿って重畳状に折り曲げるとともに、折り曲げた部分を音声の出力経路Ｓを形成させるために開口させ、折り曲げた一枚の板状部材でスピーカ９の正面側を直視不能に覆う保護板を構成することもできる。
【符号の説明】
【００４９】
１  スロットマシン
１ａ  前扉
１ｂ  筐体
９  スピーカ
８１  貯留皿
９１  開口
９２  振動板
９５  スピーカグリル
９６  音出力孔
９７  保護板
９７ａ  板状部材
９７ｂ  板状部材
Ｋ  終端部開口
Ｓ  出力経路
Ｗ  重合部（重なる領域）
【図１】
0005540247.tif 000002
【図２】
0005540247.tif 000003
【図３】
0005540247.tif 000004
【図４】
0005540247.tif 000005
【図５】
0005540247.tif 000006
【図６】
0005540247.tif 000007
【図７】
0005540247.tif 000008